【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
式、
【化１】
2008538221.tif 000001
の繰り返しユニットを含み、
式中、Ａは、窒素、酸素、および硫黄から選択される少なくとも１個のヘテロ原子、特に１個の窒素原子、ならびに窒素、置換窒素、酸素、および硫黄から選択される少なくとも１個のさらに他のヘテロ原子とを含む５、６、または７員のヘテロ芳香族環であり、
Ｒ１、Ｒ２、Ｒ３、Ｒ４、Ｒ５、およびＲ６は、互いに独立に、水素、ハロゲン、または有機置換基であり、または、
互いに隣接するＲ１およびＲ２、Ｒ４およびＲ６、Ｒ２およびＲ３、Ｒ５およびＲ３、ならびに／またはＲ５およびＲ６は、場合により、置換されていてもよい、互いに芳香族またはヘテロ芳香族環または環系を形成し、
Ｒ７は、有機置換基であり、同じ分子中の２個以上の置換基Ｒ７は、異なる意味を有することができ、または互いに芳香族環もしくはヘテロ芳香族環または環系を形成することができ、
ｘは、０または１〜５の整数である、ポリマー。
【請求項２】
式、
【化２】
2008538221.tif 000002
の繰り返しユニットを含み、
式中、Ｒ１およびＲ４は、互いに独立に、水素、ハロゲン、Ｃ１〜Ｃ１８アルキル、Ｅで置換されおよび／またはＤで中断されたＣ１〜Ｃ１８アルキル、Ｃ１〜Ｃ１８ペルフルオロアルキル、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシ、ＣＮ、または−ＣＯ−Ｒ２８であり、
Ｒ２、Ｒ３、Ｒ５、およびＲ６は、互いに独立に、Ｈ、ハロゲン、Ｃ１〜Ｃ１８アルキル、Ｅで置換されおよび／またはＤで中断されたＣ１〜Ｃ１８アルキル、Ｃ１〜Ｃ１８ペルフルオロアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシ、Ｃ７〜Ｃ２５アラルキル、ＣＮ、または−ＣＯ−Ｒ２８であり、
Ｒ８およびＲ９は、互いに独立に、Ｈ、Ｃ１〜Ｃ１８アルキル、Ｅで置換されおよび／またはＤで中断されたＣ１〜Ｃ１８アルキル、Ｃ１〜Ｃ１８ペルフルオロアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシ、Ｃ７〜Ｃ２５アラルキル、ＣＮ、または−ＣＯ−Ｒ２８であり、または、
Ｒ８およびＲ９は、互いに、基、
【化３】
2008538221.tif 000003
を形成し、
式中、Ｒ２０６’、Ｒ２０８’、Ｒ２０５、Ｒ２０６、Ｒ２０７、Ｒ２０８、Ｒ２０９、およびＲ２１０は、互いに独立に、Ｈ、Ｃ１〜Ｃ１８アルキル、Ｅで置換されおよび／またはＤで中断されたＣ１〜Ｃ１８アルキル、Ｃ１〜Ｃ１８アルコキシ、またはＥで置換されおよび／またはＤで中断されたＣ１〜Ｃ１８アルコキシ、Ｃ１〜Ｃ１８ペルフルオロアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ７〜Ｃ２５アラルキル、ＣＮ、または−ＣＯ−Ｒ２８であり、
Ｒ１０は、Ｈ、Ｃ１〜Ｃ１８アルキル、Ｅで置換されおよび／またはＤで中断されたＣ１〜Ｃ１８アルキル、Ｃ１〜Ｃ１８ペルフルオロアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシ、Ｃ７〜Ｃ２５アラルキル、または−ＣＯ−Ｒ２８であり、
Ｒ１１およびＲ１４は、互いに独立に、水素、ハロゲン、Ｃ１〜Ｃ１８アルキル、Ｅで置換されおよび／またはＤで中断されたＣ１〜Ｃ１８アルキル、Ｃ１〜Ｃ１８ペルフルオロアルキル、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシ、ＣＮ、または−ＣＯ−Ｒ２８であり、
Ｒ１２、Ｒ１３、Ｒ１５、およびＲ１６は、互いに独立に、Ｈ、ハロゲン、Ｃ１〜Ｃ１８アルキル、Ｅで置換されおよび／またはＤで中断されたＣ１〜Ｃ１８アルキル、Ｃ１〜Ｃ１８ペルフルオロアルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシ、Ｃ７〜Ｃ２５アラルキル、ＣＮ、または−ＣＯ−Ｒ２８であり、
Ｘは、Ｏ、Ｓ、またはＮＲ１７であり、式中、Ｒ１７は、Ｈ；Ｃ６〜Ｃ１８アリール；Ｃ２〜Ｃ２０ヘテロアリール；Ｃ１〜Ｃ１８アルキル、Ｃ１〜Ｃ１８ペルフルオロアルキル、またはＣ１〜Ｃ１８アルコキシで置換されたＣ６〜Ｃ１８アリールもしくはＣ２〜Ｃ２０ヘテロアリール；Ｃ１〜Ｃ１８アルキル；または−Ｏ−で中断されたＣ１〜Ｃ１８アルキルであり、
または、互いに隣接する２個の置換基Ｒ１およびＲ２、Ｒ４およびＲ６、Ｒ１１およびＲ１２、ならびに／またはＲ１４およびＲ１６、Ｒ２およびＲ３、Ｒ５およびＲ６、Ｒ１２およびＲ１３、ならびに／またはＲ１５およびＲ１６は、互いに基、
【化４】
2008538221.tif 000004
を形成し、または互いに隣接する２個の置換基Ｒ１５およびＲ１３、ならびに／またはＲ５およびＲ３は、互いに基、
【化５】
2008538221.tif 000005
を形成し、
式中、Ｘ３は、Ｏ、Ｓ、Ｃ（Ｒ１１９）（Ｒ１２０）、またはＮＲ１７であり、式中、Ｒ１７は、上記で定義した通りであり、Ｒ１０５、Ｒ１０６、Ｒ１０７、Ｒ１０８、Ｒ１０６’、およびＲ１０８’は、互いに独立に、Ｈ、Ｃ１〜Ｃ１８アルキル、Ｅで置換されおよび／またはＤで中断されたＣ１〜Ｃ１８アルキル、Ｃ１〜Ｃ１８アルコキシ、またはＥで置換されおよび／またはＤで中断されたＣ１〜Ｃ１８アルコキシであり、
Ｒ１１９およびＲ１２０は、互いに式＝ＣＲ１２１Ｒ１２２の基を形成し、
式中、Ｒ１２１およびＲ１２２は、互いに独立に、Ｈ、Ｃ１〜Ｃ１８アルキル、Ｅで置換されおよび／またはＤで中断されたＣ１〜Ｃ１８アルキル、Ｃ６〜Ｃ２４アリール、Ｇで置換されたＣ６〜Ｃ２４アリール、またはＣ２〜Ｃ２０ヘテロアリール、またはＧで置換されたＣ２〜Ｃ２０ヘテロアリールであり、または、
Ｒ１１９およびＲ１２０は、互いに５もしくは６員環を形成し、これは、場合により、Ｃ１〜Ｃ１８アルキル、Ｅで置換されおよび／またはＤで中断されたＣ１〜Ｃ１８アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシ、Ｃ７〜Ｃ２５アラルキル、または−Ｃ（＝Ｏ）−Ｒ１２７で置換することができ、
Ｒ１２７は、Ｈ；Ｃ６〜Ｃ１８アリール；Ｃ１〜Ｃ１８アルキルまたはＣ１〜Ｃ１８アルコキシで置換されたＣ６〜Ｃ１８アリール；Ｃ１〜Ｃ１８アルキル；または−Ｏ−で中断されたＣ１〜Ｃ１８アルキルであり、
Ｄは、−ＣＯ−；−ＣＯＯ−；−Ｓ−；−ＳＯ−；−ＳＯ２−；−Ｏ−；−ＮＲ２５−；−ＳｉＲ３０Ｒ３１−；−ＰＯＲ３２−；−ＣＲ２３＝ＣＲ２４−；または−Ｃ≡Ｃ−であり、
Ｅは、−ＯＲ２９；−ＳＲ２９；−ＮＲ２５Ｒ２６；−ＣＯＲ２８；−ＣＯＯＲ２７；−ＣＯＮＲ２５Ｒ２６；−ＣＮ；またはハロゲンであり、Ｇは、Ｅ、Ｃ１〜Ｃ１８アルキル、Ｄで中断されたＣ１〜Ｃ１８アルキル、Ｃ１〜Ｃ１８ペルフルオロアルキル、Ｃ１〜Ｃ１８アルコキシ、またはＥで置換されおよび／またはＤで中断されたＣ１〜Ｃ１８アルコキシであり、
式中、Ｒ２３、Ｒ２４、Ｒ２５、およびＲ２６は、互いに独立に、Ｈ；Ｃ６〜Ｃ１８アリール；Ｃ１〜Ｃ１８アルキルまたはＣ１〜Ｃ１８アルコキシで置換されたＣ６〜Ｃ１８アリール；Ｃ１〜Ｃ１８アルキル；または−Ｏ−で中断されたＣ１〜Ｃ１８アルキルであり、または、
Ｒ２５およびＲ２６は、互いに５または６員環、特に、
【化６】
2008538221.tif 000006
を形成し、
Ｒ２７およびＲ２８は、互いに独立に、Ｈ；Ｃ６〜Ｃ１８アリール；Ｃ１〜Ｃ１８アルキルまたはＣ１〜Ｃ１８アルコキシで置換されたＣ６〜Ｃ１８アリール；Ｃ１〜Ｃ１８アルキル；または−Ｏ−で中断されたＣ１〜Ｃ１８アルキルであり、
Ｒ２９は、Ｈ；Ｃ６〜Ｃ１８アリール；Ｃ１〜Ｃ１８アルキルまたはＣ１〜Ｃ１８アルコキシで置換されたＣ６〜Ｃ１８アリール；Ｃ１〜Ｃ１８アルキル；または−Ｏ−で中断されたＣ１〜Ｃ１８アルキルであり、
Ｒ３０およびＲ３１は、互いに独立に、Ｃ１〜Ｃ１８アルキル、Ｃ６〜Ｃ１８アリール、またはＣ１〜Ｃ１８アルキルで置換されたＣ６〜Ｃ１８アリールであり、
Ｒ３２は、Ｃ１〜Ｃ１８アルキル、Ｃ６〜Ｃ１８アリール、またはＣ１〜Ｃ１８アルキルで置換されたＣ６〜Ｃ１８アリールである、請求項１に記載のポリマー。
【請求項３】
式、
【化１１】
2008538221.tif 000007
の繰り返しユニットを含み、
Ｒ１０は、Ｈ、Ｇで置換されていてもよいＣ６〜Ｃ１８アリール、Ｇで置換されていてもよいＣ２〜Ｃ１８ヘテロアリール、Ｃ１〜Ｃ１８アルキル、Ｄで中断されたＣ１〜Ｃ１８アルキル、Ｃ１〜Ｃ１８ペルフルオロアルキル、Ｃ１〜Ｃ１８アルコキシ、Ｅで置換されおよび／またはＤで中断されたＣ１〜Ｃ１８アルコキシ、または基−Ｘ２−Ｒ１８であり、式中、Ｘ２は、Ｃ６〜Ｃ１２アリール、Ｃ６〜Ｃ１２ヘテロアリール、特にフェニル、またはナフチルなどのスペーサーであり、これは、Ｃ１〜Ｃ１８アルキル、Ｄで中断されたＣ１〜Ｃ１８アルキル、Ｃ１〜Ｃ１８ペルフルオロアルキル、Ｃ１〜Ｃ１８アルコキシ、またはＥで置換されおよび／またはＤで中断されたＣ１〜Ｃ１８アルコキシで１回以上、特に１〜２回置換することができ、Ｒ１８は、Ｈ、Ｃ１〜Ｃ１８アルキル、Ｄで中断されたＣ１〜Ｃ１８アルキル、Ｃ１〜Ｃ１８ペルフルオロアルキル、Ｃ１〜Ｃ１８アルコキシ、Ｄで中断されたＣ１〜Ｃ１８アルコキシ、または−ＮＲ２５Ｒ２６−であり、
Ｒ１１およびＲ１４は、水素であり、
Ｒ１２、Ｒ１３、Ｒ１５、およびＲ１６は、水素であり、
Ｒ１７は、Ｃ６〜Ｃ１８アリール；Ｃ１〜Ｃ１８アルキル、Ｃ１〜Ｃ１８ペルフルオロアルキルまたはＣ１〜Ｃ１８アルコキシで置換されたＣ６〜Ｃ１８アリール；Ｃ１〜Ｃ１８アルキル；または−Ｏ−で中断されたＣ１〜Ｃ１８アルキルであり、または、
互いに隣接する２個の置換基Ｒ５およびＲ３、Ｒ１２およびＲ１３、ならびに／またはＲ１５およびＲ１６は、互いに基、
【化１２】
2008538221.tif 000008
を形成し、または、互いに隣接する２個の置換基Ｒ１５およびＲ１３は、互いに基、
【化１３】
2008538221.tif 000009
を形成し、式中、Ｒ１０５、Ｒ１０６、Ｒ１０７、およびＲ１０８は、互いに独立に、Ｈ、またはＣ１〜Ｃ８アルキルであり、
Ｄは、−Ｓ−；−Ｏ−；または−ＮＲ２５−であり、
Ｅは、−ＯＲ２９；−ＳＲ２９；−ＮＲ２５Ｒ２６；−ＣＮ；またはＦであり、Ｇは、Ｅ、Ｃ１〜Ｃ１８アルキル、Ｄで中断されたＣ１〜Ｃ１８アルキル、Ｃ１〜Ｃ１８ペルフルオロアルキル、Ｃ１〜Ｃ１８アルコキシ、またはＥで置換されおよび／またはＤで中断されたＣ１〜Ｃ１８アルコキシであり、式中、
Ｒ２５およびＲ２６は、互いに独立に、Ｈ；Ｃ６〜Ｃ１８アリール；Ｃ１〜Ｃ８アルキルまたはＣ１〜Ｃ８アルコキシで置換されたＣ６〜Ｃ１８アリール；Ｃ１〜Ｃ８アルキル；または−Ｏ−で中断されたＣ１〜Ｃ８アルキルであり、または、
Ｒ２５およびＲ２６は、互いに５または６員環、特に、
【化１４】
2008538221.tif 000010
を形成し、
Ｒ２９は、Ｃ６〜Ｃ１８アリール；Ｃ１〜Ｃ１８アルキルまたはＣ１〜Ｃ１８アルコキシで置換されたＣ６〜Ｃ１８アリール；Ｃ１〜Ｃ１８アルキル；または−Ｏ−で中断されたＣ１〜Ｃ１８アルキルである、請求項２に記載のポリマー。
【請求項４】
【化１５】
2008538221.tif 000011
2008538221.tif 000012
からなる群から選択される１個以上（少なくとも１個）の繰り返しユニットＡｒ３を含み、
式中、ｒは、１〜１０の整数、特に１、２、または３であり、
ｑは、１〜１０の整数、特に１、２、または３であり、
ｓは、１〜１０の整数、特に１、２、または３であり、
Ｒ１１６およびＲ１１７は、互いに独立に、Ｈ、ハロゲン、−ＣＮ、Ｃ１〜Ｃ１８アルキル、Ｅで置換されおよび／またはＤで中断されたＣ１〜Ｃ１８アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシ、Ｃ７〜Ｃ２５アラルキル、−Ｃ（＝Ｏ）−Ｒ１２７、−Ｃ（＝Ｏ）Ｒ１２７、または−Ｃ（＝Ｏ）ＯＮＲ１２７Ｒ１２６であり、
Ｒ１１９およびＲ１２０は、互いに独立に、Ｈ、Ｃ１〜Ｃ１８アルキル、Ｅで置換されおよび／またはＤで中断されたＣ１〜Ｃ１８アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシ、またはＣ７〜Ｃ２５アラルキルであり、または、
Ｒ１１９およびＲ１２０は、互いに式＝ＣＲ１２１Ｒ１２２の基を形成し、式中、
Ｒ１２１およびＲ１２２は、互いに独立に、Ｈ、Ｃ１〜Ｃ１８アルキル、Ｅで置換されおよび／またはＤで中断されたＣ１〜Ｃ１８アルキル、Ｃ６〜Ｃ２４アリール、Ｇで置換されたＣ６〜Ｃ２４アリール、Ｃ２〜Ｃ２０ヘテロアリール、またはＧで置換されたＣ２〜Ｃ２０ヘテロアリールであり、または、
Ｒ１１９およびＲ１２０は、互いに５または６員環を形成し、これは、場合により、Ｃ１〜Ｃ１８アルキル、Ｅで置換されおよび／またはＤで中断されたＣ１〜Ｃ１８アルキル、Ｃ６〜Ｃ２４アリール、Ｇで置換されたＣ６〜Ｃ２４アリール、Ｃ２〜Ｃ２０ヘテロアリール、Ｇで置換されたＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシ、Ｃ７〜Ｃ２５アラルキル、または−Ｃ（＝Ｏ）−Ｒ１２７で置換することができ、
Ｒ１２６およびＲ１２７は、互いに独立に、Ｈ、Ｃ６〜Ｃ１８アリール、Ｃ１〜Ｃ１８アルキルまたはＣ１〜Ｃ１８アルコキシで置換されたＣ６〜Ｃ１８アリール、Ｃ１〜Ｃ１８アルキル、または−Ｏ−で中断されたＣ１〜Ｃ１８アルキルであり、
Ｄは、−ＣＯ−、−ＣＯＯ−、−Ｓ−、−ＳＯ−、−ＳＯ２−、−Ｏ−、−ＮＲ６５−、−ＳｉＲ７０Ｒ７１−、−ＰＯＲ７２−、−ＣＲ６３＝ＣＲ６４−、または−Ｃ≡Ｃ−であり、
Ｅは、−ＯＲ６９、−ＳＲ６９、−ＮＲ６５Ｒ６６、−ＣＯＲ６８、−ＣＯＯＲ６７、−ＣＯＮＲ６５Ｒ６６、−ＣＮ、またはハロゲンであり、
Ｇは、Ｅ、Ｃ１〜Ｃ１８アルキル、Ｄで中断されたＣ１〜Ｃ１８アルキル、Ｃ１〜Ｃ１８ペルフルオロアルキル、Ｃ１〜Ｃ１８アルコキシ、またはＥで置換されおよび／またはＤで中断されたＣ１〜Ｃ１８アルコキシであり、
Ｒ６３、Ｒ６４、Ｒ６５、およびＲ６６は、互いに独立に、Ｈ；Ｃ６〜Ｃ１８アリール；Ｃ１〜Ｃ１８アルキル；Ｃ１〜Ｃ１８アルコキシで置換されたＣ６〜Ｃ１８アリール；Ｃ１〜Ｃ１８アルキル、または−Ｏ−で中断されたＣ１〜Ｃ１８アルキルであり、または、
Ｒ６５およびＲ６６は、互いに５または６員環、特に、
【化１６】
2008538221.tif 000013
を形成し、
Ｒ６７およびＲ６８は、互いに独立に、Ｈ；Ｃ６〜Ｃ１８アリール；Ｃ１〜Ｃ１８アルキルまたはＣ１〜Ｃ１８アルコキシで置換されたＣ６〜Ｃ１８アリール；Ｃ１〜Ｃ１８アルキル；または−Ｏ−で中断されたＣ１〜Ｃ１８アルキルであり、
Ｒ６９は、Ｈ；Ｃ６〜Ｃ１８アリール；Ｃ１〜Ｃ１８アルキル、Ｃ１〜Ｃ１８アルコキシで置換されたＣ６〜Ｃ１８アリール；Ｃ１〜Ｃ１８アルキル；または−Ｏ−で中断されたＣ１〜Ｃ１８アルキルであり、
Ｒ７０およびＲ７１は、互いに独立に、Ｃ１〜Ｃ１８アルキル、Ｃ６〜Ｃ１８アリール、またはＣ１〜Ｃ１８アルキルで置換されたＣ６〜Ｃ１８アリールであり、
Ｒ７２は、Ｃ１〜Ｃ１８アルキル、Ｃ６〜Ｃ１８アリール、またはＣ１〜Ｃ１８アルキルで置換されたＣ６〜Ｃ１８アリール、
【化１７】
2008538221.tif 000014
であり、
式中、Ｒ４１は、各出現で同じであるかまたは異なることができ、Ｃｌ、Ｆ、ＣＮ、Ｎ（Ｒ４５）２、Ｃ１〜Ｃ２５アルキル基、Ｃ４〜Ｃ１８シクロアルキル基、Ｃ１〜Ｃ２５アルコキシ基であり、互いに隣接しない１個以上の炭素原子は、−ＮＲ４５−、−Ｏ−、−Ｓ−、−Ｃ（＝Ｏ）−Ｏ−、または−Ｏ−Ｃ（＝Ｏ）−Ｏ−で置換することができ、および／または１個以上の水素原子は、Ｆ、Ｃ６〜Ｃ２４アリール基、またはＣ６〜Ｃ２４アルコキシ基で置換することができ、１個以上の炭素原子は、Ｏ、Ｓ、またはＮで置換することができ、および／または１個以上の非芳香族基Ｒ４１で置換することができ、または、
２個以上の基Ｒ４１は、環系を形成し、
Ｒ４２は、各出現で同じであるかまたは異なることができ、ＣＮ、Ｃ１〜Ｃ２５アルキル基、Ｃ４〜Ｃ１８シクロアルキル基、Ｃ１〜Ｃ２５アルコキシ基であり、互いに隣接しない１個以上の炭素原子は、−ＮＲ４５−、−Ｏ−、−Ｓ−、−Ｃ（＝Ｏ）−Ｏ−、または−Ｏ−Ｃ（＝Ｏ）−Ｏ−で置換することができ、および／または１個以上の水素原子は、Ｆ、Ｃ６〜Ｃ２４アリール基、またはＣ６〜Ｃ２４アリールオキシ基で置換することができ、１個以上の炭素原子は、Ｏ、Ｓ、またはＮで置換することができ、および／または１個以上の非芳香族基Ｒ４１で置換することができ、または、
２個以上の基Ｒ４１は、環系を形成し、
Ｒ３４４は、各出現で同じであるかまたは異なることができ、水素原子、Ｃ１〜Ｃ２５アルキル基、Ｃ４〜Ｃ１８シクロアルキル基、またはＣ１〜Ｃ２５アルコキシ基であり、
Ｒ４４は、各出現で同じであるかまたは異なることができ、水素原子、Ｃ１〜Ｃ２５アルキル基、Ｃ４〜Ｃ１８シクロアルキル基、Ｃ１〜Ｃ２５アルコキシ基であり、互いに隣接しない１個以上の炭素原子は、−ＮＲ４５−、−Ｏ−、−Ｓ−、−Ｃ（＝Ｏ）−Ｏ−、または−Ｏ−Ｃ（＝Ｏ）−Ｏ−で置換することができ、および／または１個以上の水素原子は、Ｆ、Ｃ６〜Ｃ２４アリール基、またはＣ６〜Ｃ２４アリールオキシ基で置換することができ、１個以上の炭素原子は、Ｏ、Ｓ、またはＮで置換することができ、および／または１個以上の非芳香族基Ｒ４１、またはＣＮで置換することができ、または、
互いに隣接する２個以上の基Ｒ４１は、環を形成し、
Ｒ４５は、Ｈ、Ｃ１〜Ｃ２５アルキル基、Ｃ４〜Ｃ１８シクロアルキル基であり、互いに隣接しない１個以上の炭素原子は、−ＮＲ４５’−、−Ｏ−、−Ｓ−、−Ｃ（＝Ｏ）−Ｏ−、または−Ｏ−Ｃ（＝Ｏ）−Ｏ−で置換することができ、および／または１個以上の水素原子は、Ｆ、Ｃ６〜Ｃ２４アリール基、またはＣ６〜Ｃ２４アリールオキシ基で置換することができ、１個以上の炭素原子は、Ｏ、Ｓ、またはＮで置換することができ、および／または１個以上の非芳香族基Ｒ４１で置換することができ、
Ｒ４５’は、Ｈ、Ｃ１〜Ｃ２５アルキル基、またはＣ４〜Ｃ１８シクロアルキル基であり、
ｍは、各出現で同じであるかまたは異なることができ、０、１、２、または３、特に０、１、または２、さらに特に０または１であり、
ｎは、各出現で同じであるかまたは異なることができ、０、１、２、または３、特に０、１、または２、さらに特に０または１であり、
ｏは、１、２、または３、特に１または２であり、
Ａ１は、Ｃ６〜Ｃ２４アリール基、Ｃ２〜Ｃ３０ヘテロアリール基であり、これは１個以上の非芳香族基Ｒ４１、またはＮＯ２、特にフェニル、ナフチル、アントリル、ビフェニリル、２−フルオレニル、フェナントリル、またはペリレニルで置換することができ、
Ａ２およびＡ３は、互いに独立に、場合により、置換されていてもよいＣ６〜Ｃ３０アリーレン基またはＣ２〜Ｃ２４ヘテロアリーレン基、特に、
【化１８】
2008538221.tif 000015
であり、
式中、Ｒ１１６、Ｒ１１７、Ｒ１１９、およびＲ１２０は、上記で定義したとおりであり、
Ｒ６”およびＲ７”は、互いに独立にＲ１１６の意味を有し、
Ｒ１１８およびＲ８”は、Ｈ、Ｃ１〜Ｃ１８アルキル、Ｅで置換されおよび／またはＤで中断されたＣ１〜Ｃ１８アルキル、Ｃ６〜Ｃ２４アリール、またはＣ７〜Ｃ２５アラルキルであり、これは場合により、Ｇで置換され、
Ｒ１３４およびＲ１３５は、互いに独立に、Ｈ、Ｃ１〜Ｃ１８アルキル、Ｅで置換されおよび／またはＤで中断されたＣ１〜Ｃ１８アルキル、Ｃ６〜Ｃ２４アリール、Ｅで置換されたＣ６〜Ｃ２４アリール、またはＣ２〜Ｃ２０ヘテロアリール、Ｅで置換されたＣ２〜Ｃ２０ヘテロアリールであり、式中、Ｄ、Ｅ、およびＧは、上記で定義したとおりであり、
【化１９】
2008538221.tif 000016
2008538221.tif 000017
式中、Ｒ４１およびｍおよびｎは、上記で定義したとおりであり、
ｐは、０、１、または２、特に０または１であり、
【化２０】
2008538221.tif 000018
2008538221.tif 000019
式中、Ｘ４は、Ｏ、Ｓ、またはＮＲ４５であり、
Ｒ４３は、水素原子、Ｃ１〜Ｃ２５アルキル基、Ｃ４〜Ｃ１８シクロアルキル基、Ｃ１〜Ｃ２５アルコキシ基であり、互いに隣接しない１個以上の炭素原子は、−ＮＲ４５−、−Ｏ−、−Ｓ−、−Ｃ（＝Ｏ）−Ｏ−、または−Ｏ−Ｃ（＝Ｏ）−Ｏ−で置換することができ、および／または１個以上の水素原子は、Ｆ、Ｃ６〜Ｃ２４アリール基、またはＣ６〜Ｃ２４アリールオキシ基で置換することができ、１個以上の炭素原子は、Ｏ、Ｓ、またはＮで置換することができ、および／または１個以上の非芳香族基Ｒ４１またはＣＮで置換することができ、または、互いに隣接する２個以上の基Ｒ４３および／またはＲ４４は、環を形成し、Ａ１、Ｒ４１、Ｒ４２、Ｒ４４、Ｒ４５、ｍ、ｎ、ｏおよびｐは、上記で定義したとおりであり、および／または１個以上（少なくとも１個）の繰り返しユニット−Ｔ−は、
【化２１】
2008538221.tif 000020
からなる群から選択され、
式中、Ｘ１は、水素原子、またはシアノ基であり、ｕは１、２、３、または４であり、
Ｒ１１６、Ｒ１１７、Ｒ４１およびｎは、上記で定義したとおりであり、
Ａ４は、１個以上の非芳香族基Ｒ４１で置換されていてもよい、Ｃ６〜Ｃ２４アリール基、Ｃ２〜Ｃ３０ヘテロアリール基、特にフェニル、ナフチル、アントリル、ビフェニリル、２−フルオレニル、フェナントリル、またはペリレニルである、請求項１〜３のいずれか１項に記載のポリマー。
【請求項５】
前記ポリマーは、式Ｉの少なくとも２個の異なる繰り返しユニットを含むコポリマー、特に、式、
【化２２】
2008538221.tif 000021
の繰り返しユニットなど、Ａが５員ヘテロ芳香族環である式Ｉの少なくとも１個の繰り返しユニット、および式、
【化２３】
2008538221.tif 000022
の繰り返しユニットなど、Ａが６員ヘテロ芳香族環である式Ｉの少なくとも１個の繰り返しユニットを含み、
式中、Ｒ１、Ｒ２、Ｒ３、Ｒ４、Ｒ５、Ｒ６、Ｒ７、Ｒ８、およびＲ９は、請求項２に定義したとおりであり、そしてＲ１０、Ｒ１１、Ｒ１２、Ｒ１３、Ｒ１４、Ｒ１５、およびＲ１６は、請求項３に定義したとおりである、コポリマーであり、または、式、
【化２４】
2008538221.tif 000023
の繰り返しユニットを含むポリマーであり、
式中、Ｘ１０は、式Ｉ、特にＸ、ＸＩ、およびＸＩＩの繰り返しユニットであり、
ｑは、０、１、または２の整数であり、ｏは、０、１、または２であり、ｒは、０、または１であり、
ＡＲは、Ｃ６〜Ｃ２４アリール、Ｇで置換されたＣ６〜Ｃ２４アリール、Ｃ２〜Ｃ２０ヘテロアリール、またはＧで置換されたＣ２〜Ｃ２０ヘテロアリールであり、
Ｒａは、Ｈ、Ｃ１〜Ｃ１８アルキル、Ｅで置換されおよび／またはＤで中断されたＣ１〜Ｃ１８アルキル、Ｃ１〜Ｃ１８ペルフルオロアルキル、Ｃ２〜Ｃ１８アルケニル、Ｃ２〜Ｃ１８アルキニル、Ｃ１〜Ｃ１８アルコキシ、Ｅで置換されおよび／またはＤで中断されたＣ１〜Ｃ１８アルコキシであり、Ｅ、Ｄ、およびＧは上記で定義したとおりのポリマーである、請求項１に記載のポリマー。
【請求項６】
請求項１記載のポリマーを含む電子デバイスまたはそのための部品。
【請求項７】
請求項１記載のポリマーを１種以上含む、ＰＬＥＤ、有機集積回路（Ｏ−ＩＣ）、有機電界効果トランジスタ（ＯＦＥＴ）、有機薄膜トランジスタ（ＯＴＦＴ）、有機太陽電池（Ｏ−ＳＣ）、熱電子デバイス、または有機レーザーダイオード。
【請求項８】
式、
【化２５】
2008538221.tif 000024
の化合物であって、
式中、Ａは、窒素、酸素、および硫黄を含む、特に１個の窒素原子、ならびに窒素、置換された窒素、酸素、および硫黄から選択される少なくとも１個のさらに他のヘテロ原子から選択される１個のヘテロ原子とを含有する５、６、または７員ヘテロ芳香族環であり、
Ｒ１、Ｒ２、Ｒ３、Ｒ４、Ｒ５、およびＲ６は、互いに独立に、水素、ハロゲン、または有機置換基であり、または、
互いに隣接する２個の置換基Ｒ１およびＲ２、Ｒ４およびＲ６、Ｒ２およびＲ３、Ｒ５およびＲ３、ならびに／またはＲ５およびＲ６は、互いに芳香族またはヘテロ芳香族環、または環系を形成し、これは場合により、置換することができ、
Ｒ７は、有機置換基であり、同じ分子中の２個以上の置換基Ｒ７が、異なる意味を有することができ、または互いに芳香族、またはヘテロ芳香族環、または環系を形成することができ、
ｘは、０または１〜５の整数であり、
Ｘ１１は、各出現で独立に、ハロゲン原子、または−ＯＳ（Ｏ）２ＣＦ３、−ＯＳ（Ｏ）２−アリール、特に、
【化２６】
2008538221.tif 000025
−ＯＳ（Ｏ）２ＣＨ３、−Ｂ（ＯＨ）２、−Ｂ（ＯＹ１）２、
【化２７】
2008538221.tif 000026
−ＢＦ４Ｎａ、または−ＢＦ４Ｋであり、式中、Ｙ１は、各出現で独立に、Ｃ１〜Ｃ１０アルキル基であり、Ｙ２は、各出現で独立に、−ＣＹ３Ｙ４−ＣＹ５Ｙ６−または−ＣＹ７Ｙ８−ＣＹ９Ｙ１０−ＣＹ１１Ｙ１２−などのＣ２〜Ｃ１０アルキレン基であり、式中、Ｙ３、Ｙ４、Ｙ５、Ｙ６、Ｙ７、Ｙ８、Ｙ９、Ｙ１０、Ｙ１１、およびＹ１２は、互いに独立に、水素、またはＣ１〜Ｃ１０アルキル基、特に−Ｃ（ＣＨ３）２Ｃ（ＣＨ３）２−、または−Ｃ（ＣＨ３）２ＣＨ２Ｃ（ＣＨ３）２−であり、式中、ヘテロ原子としての窒素原子は、＝Ｎ−または−ＮＲ１０基を含み、式中、Ｒ１０は、請求項２で定義されるとおりである、
ただし、Ｒ１０は、
【化２８】
2008538221.tif 000027
を除外する条件である、化合物。